(57)【要約】【課題】駐車場の利用車両にトラブルが発生した場合、該当車両の運転者を店舗内にて検索し、該当車両に速やかに戻る事を促す。【解決手段】顔画像取得部２２８は、遊技台で遊技する照合対象者である遊技者の顔画像を取得し、類似度計算部２５２は、前記該当車両顔画像情報として登録されている顔画像との類似度を計算し、照合し、類似度判定部２５３は、照合結果である類似度と所定の閾値との比較により、前記来店者の顔画像が、前記該当車両顔画像情報に登録された顔画像であるか否かを判定し、遊技店管理装置２４は、前記照合対象者の顔画像が前記該当車両顔画像情報に登録された顔画像であると判定された場合、顔画像が撮像された遊技台の遊技を停止させ、車両に戻るように促す画面を表示させる。本発明は、監視システムに適用することができる。【選択図】図１４
2008085584.tif 000002
【特許請求の範囲】
【請求項１】
駐車場に入場する車両の車両登録情報と、前記車両に搭乗している人物の顔画像とを対応付けて車両情報データベースとして登録する登録手段と、
前記駐車場に駐車中の車両のうち、該当車両の画像を撮像する該当車両撮像手段と、
前記該当車両撮像手段により撮像された前記該当車両の画像より前記車両登録情報を抽出する該当車両登録情報抽出手段と、
前記該当車両登録情報抽出手段により抽出された該当車両の車両登録情報に基づいて、前記登録手段により登録された車両登録データベースより、前記該当車両の車両登録情報に対応付けて登録されている顔画像を検索する検索手段と、
前記検索手段により検索された車両登録情報と、前記検索された車両登録情報に対応付けて登録されている顔画像とを該当車両顔画像情報として蓄積する蓄積手段と、
所定の位置で照合対象者の顔画像を取得する顔画像取得手段と、
前記顔画像取得手段により取得された照合対象者の顔画像と、前記該当車両顔画像情報として登録されている顔画像との類似度を計算し、照合する照合手段と、
前記照合手段の照合結果である類似度と所定の閾値との比較により、前記来店者の顔画像が、前記該当車両顔画像情報に登録された顔画像であるか否かを判定する類似度判定手段と、
前記類似度判定手段により前記照合対象者の顔画像が前記該当車両顔画像情報に登録された顔画像であると判定された場合、前記所定の位置で取得された照合対象者が前記該当車両の搭乗者であることを提示する提示手段と
を含む監視装置。
【請求項２】
前記駐車場に入場する車両の画像を撮像する入場車両撮像手段と、
前記入場車両撮像手段により撮像された画像より、前記車両の車両登録情報を抽出する入場車両登録情報抽出手段と、
前記入場車両撮像手段により撮像された画像より、前記車両の搭乗者の顔画像を抽出する入場車両顔画像抽出手段とを含み、
前記登録手段は、前記入場車両登録情報抽出手段により抽出された前記駐車場に入場する車両の車両登録情報と、前記入場車両顔画像抽出手段により抽出された前記車両に搭乗している人物の顔画像とを対応付けて車両情報データベースとして登録する
請求項１に記載の監視装置。
【請求項３】
前記照合対象者の画像を撮像する照合対象者撮像手段と、
前記照合対象者撮像手段により撮像された画像より、前記照合対象者の顔画像を抽出する顔画像抽出手段と、
前記照合対象者の顔画像より特徴量を抽出する特徴量抽出手段とをさらに含み、
前記照合手段は、前記取得手段により取得された照合対象者の顔画像と、前記蓄積手段に蓄積された登録者の顔画像との特徴量を用いて類似度を計算し、前記取得手段により取得された照合対象者の顔画像と、前記蓄積手段に蓄積された登録者の顔画像とを照合する
請求項１に記載の監視装置。
【請求項４】
前記顔画像取得手段は、前記所定の遊技台で遊技する遊技者を照合対象者の顔画像として取得し、
前記類似度判定手段により前記照合対象者の顔画像が前記該当車両顔画像情報に登録された顔画像であると判定された場合、前記提示手段により、前記所定の位置で取得された照合対象者が前記該当車両の搭乗者であることが提示されることにより、前記照合対象者である前記遊技者の遊技する遊技台の動作を停止させるように制御する制御手段を更に含む
請求項１に記載の監視装置。
【請求項５】
前記顔画像取得手段は、前記所定の遊技台で遊技する遊技者を照合対象者の顔画像として取得し、
前記提示手段は、遊技店の係員に所持されている携帯端末に対して、前記類似度判定手段により前記照合対象者の顔画像が前記該当車両顔画像情報に登録された顔画像であると判定された場合、前記所定の位置で取得された照合対象者が前記該当車両の搭乗者であることを示す情報を送信することにより、その旨を提示する
請求項１に記載の監視装置。
【請求項６】
駐車場に入場する車両の車両登録情報と、前記車両に搭乗している人物の顔画像とを対応付けて車両情報データベースとして登録する登録ステップと、
前記駐車場に駐車中の車両のうち、該当車両の画像を撮像する該当車両撮像ステップと、
前記該当車両撮像ステップの処理により撮像された前記該当車両の画像より前記車両登録情報を抽出する該当車両登録情報抽出ステップと、
前記該当車両登録情報抽出ステップの処理により抽出された該当車両の車両登録情報に基づいて、前記登録ステップの処理により登録された車両登録データベースより、前記該当車両の車両登録情報に対応付けて登録されている顔画像を検索する検索ステップと、
前記検索ステップの処理により検索された車両登録情報と、前記検索された車両登録情報に対応付けて登録されている顔画像とを該当車両顔画像情報として蓄積する蓄積ステップと、
所定の位置で照合対象者の顔画像を取得する顔画像取得ステップと、
前記顔画像取得ステップの処理により取得された照合対象者の顔画像と、前記該当車両顔画像情報として登録されている顔画像との類似度を計算し、照合する照合ステップと、
前記照合ステップの処理での照合結果である類似度と所定の閾値との比較により、前記来店者の顔画像が、前記該当車両顔画像情報に登録された顔画像であるか否かを判定する類似度判定ステップと、
前記類似度判定ステップの処理により前記照合対象者の顔画像が前記該当車両顔画像情報に登録された顔画像であると判定された場合、前記所定の位置で取得された照合対象者が前記該当車両の搭乗者であることを提示する提示ステップと
を含む監視方法。
【請求項７】
駐車場に入場する車両の車両登録情報と、前記車両に搭乗している人物の顔画像とを対応付けて車両情報データベースとして登録する登録ステップと、
前記駐車場に駐車中の車両のうち、該当車両の画像を撮像する該当車両撮像ステップと、
前記該当車両撮像ステップの処理により撮像された前記該当車両の画像より前記車両登録情報を抽出する該当車両登録情報抽出ステップと、
前記該当車両登録情報抽出ステップの処理により抽出された該当車両の車両登録情報に基づいて、前記登録ステップの処理により登録された車両登録データベースより、前記該当車両の車両登録情報に対応付けて登録されている顔画像を検索する検索ステップと、
前記検索ステップの処理により検索された車両登録情報と、前記検索された車両登録情報に対応付けて登録されている顔画像とを該当車両顔画像情報として蓄積する蓄積ステップと、
所定の位置で照合対象者の顔画像を取得する顔画像取得ステップと、
前記顔画像取得ステップの処理により取得された照合対象者の顔画像と、前記該当車両顔画像情報として登録されている顔画像との類似度を計算し、照合する照合ステップと、
前記照合ステップの処理での照合結果である類似度と所定の閾値との比較により、前記来店者の顔画像が、前記該当車両顔画像情報に登録された顔画像であるか否かを判定する類似度判定ステップと、
前記類似度判定ステップの処理により前記照合対象者の顔画像が前記該当車両顔画像情報に登録された顔画像であると判定された場合、前記所定の位置で取得された照合対象者が前記該当車両の搭乗者であることを提示する提示ステップと
を含む処理をコンピュータに実行させるプログラム。
【請求項８】
監視装置、駐車場の係員により所持される携帯端末、および提示装置からなる監視システムにおいて、
前記監視装置は、
前記駐車場に入場する車両の車両登録情報と、前記車両に搭乗している人物の顔画像とを対応付けて車両情報データベースとして登録する登録手段と、
前記携帯端末により撮像された前記該当車両の画像より前記車両登録情報を抽出する該当車両登録情報抽出手段と、
前記該当車両登録情報抽出手段により抽出された該当車両の車両登録情報に基づいて、前記登録手段により登録された車両登録データベースより、前記該当車両の車両登録情報に対応付けて登録されている顔画像を検索する検索手段と、
前記検索手段により検索された車両登録情報と、前記検索された車両登録情報に対応付けて登録されている顔画像とを該当車両顔画像情報として蓄積する蓄積手段と、
所定の位置で照合対象者の顔画像を取得する顔画像取得手段と、
前記顔画像取得手段により取得された照合対象者の顔画像と、前記該当車両顔画像情報として登録されている顔画像との類似度を計算し、照合する照合手段と、
前記照合手段の照合結果である類似度と所定の閾値との比較により、前記来店者の顔画像が、前記該当車両顔画像情報に登録された顔画像であるか否かを判定する類似度判定手段とを含み、
前記携帯端末は、
前記駐車場に駐車中の車両のうち、該当車両の画像を撮像する該当車両撮像手段を含み、
前記提示装置は、
前記類似度判定手段により前記照合対象者の顔画像が前記該当車両顔画像情報に登録された顔画像であると判定された場合、前記所定の位置で取得された照合対象者が前記該当車両の搭乗者であることを提示する提示手段とを含む
監視システム。
【発明の詳細な説明】
【技術分野】
【０００１】
本発明は、監視装置および監視方法、監視システム並びにプログラムに関し、特に、駐車場に駐車中の車両の搭乗者を容易に呼び出せるようにした監視装置および方法、監視システム、並びにプログラムに関する。
【背景技術】
【０００２】
駐車場に駐車中の車両に異常が発生した場合に、その車両の所有者への通報技術の要求が高まりつつある。
【０００３】
従来の車両の異常情報通知システムとして、車両本体に専用機器を設置することにより、その専用機器により異常が検知されると、運転者に車両異常を連絡するといった技術が提案されている（特許文献１参照）。
【０００４】
【特許文献１】特開２００１−１６０１９２号公報
【発明の開示】
【発明が解決しようとする課題】
【０００５】
しかしながら、上記の手法においては、車両本体に専用機器を設置する必要があり、幼児を車内に放置して遊技店、百貨店等の商業施設に出向く保護者は自らの意思で上記専用機器を必ずしも設置するとは限らないので、車両異常を通報する手段としては、必ずしも有効な手段ではなかった。
【０００６】
また、幼児の車内放置による事故が社会問題化されている中で店舗管理者側も駐車場に係員を巡回させる事により事故の未然防止に努めているが、駐車場内の駐車禁止区域への不正駐車、幼児の車内放置等の駐車場トラブルを発見しても係員及び店舗側が確実に知りえる該当車両に関する情報は車両登録情報（車両ナンバ）のみであった為に、該当車両の運転手を呼び出す手段は該当車両ナンバを店内放送する事で該当車両の運転手が自主的に該当車両に戻るのを待つしかなかった。
【０００７】
すなわち、運転者が店内放送を聞き漏らしたり、故意に店内放送の無視または自車車両ナンバ忘れなど何らかの理由により運転者が該当車両に戻らなかった場合には再度店内放送を流す必要があり、緊急事態が発生した場合であっても必ずしも運転者が該当車両に速やかに戻るわけでは無かった。
【０００８】
本発明はこのような状況に鑑みてなされたものであり、駐車場の利用車両にトラブルが発生した場合、該当車両の運転者を店舗内にて検索し、該当車両に速やかに戻る事を促せるようにするものである。
【課題を解決するための手段】
【０００９】
本発明の第１の側面の監視装置は、駐車場に入場する車両の車両登録情報と、前記車両に搭乗している人物の顔画像とを対応付けて車両情報データベースとして登録する登録手段と、前記駐車場に駐車中の車両のうち、該当車両の画像を撮像する該当車両撮像手段と、前記該当車両撮像手段により撮像された前記該当車両の画像より前記車両登録情報を抽出する該当車両登録情報抽出手段と、前記該当車両登録情報抽出手段により抽出された該当車両の車両登録情報に基づいて、前記登録手段により登録された車両登録データベースより、前記該当車両の車両登録情報に対応付けて登録されている顔画像を検索する検索手段と、前記検索手段により検索された車両登録情報と、前記検索された車両登録情報に対応付けて登録されている顔画像とを該当車両顔画像情報として蓄積する蓄積手段と、所定の位置で照合対象者の顔画像を取得する顔画像取得手段と、前記顔画像取得手段により取得された照合対象者の顔画像と、前記該当車両顔画像情報として登録されている顔画像との類似度を計算し、照合する照合手段と、前記照合手段の照合結果である類似度と所定の閾値との比較により、前記来店者の顔画像が、前記該当車両顔画像情報に登録された顔画像であるか否かを判定する類似度判定手段と、前記類似度判定手段により前記照合対象者の顔画像が前記該当車両顔画像情報に登録された顔画像であると判定された場合、前記所定の位置で取得された照合対象者が前記該当車両の搭乗者であることを提示する提示手段とを含む。
【００１０】
前記駐車場に入場する車両の画像を撮像する入場車両撮像手段と、前記入場車両撮像手段により撮像された画像より、前記車両の車両登録情報を抽出する入場車両登録情報抽出手段と、前記入場車両撮像手段により撮像された画像より、前記車両の搭乗者の顔画像を抽出する入場車両顔画像抽出手段とを含み、前記登録手段には、前記入場車両登録情報抽出手段により抽出された前記駐車場に入場する車両の車両登録情報と、前記入場車両顔画像抽出手段により抽出された前記車両に搭乗している人物の顔画像とを対応付けて車両情報データベースとして登録させるようにすることができる。
【００１１】
前記照合対象者の画像を撮像する照合対象者撮像手段と、前記照合対象者撮像手段により撮像された画像より、前記照合対象者の顔画像を抽出する顔画像抽出手段と、前記照合対象者の顔画像より特徴量を抽出する特徴量抽出手段とをさらに含み、前記照合手段には、前記取得手段により取得された照合対象者の顔画像と、前記蓄積手段に蓄積された登録者の顔画像との特徴量を用いて類似度を計算させ、前記取得手段により取得された照合対象者の顔画像と、前記蓄積手段に蓄積された登録者の顔画像とを照合させるようにすることができる。
【００１２】
前記顔画像取得手段には、前記所定の遊技台で遊技する遊技者を照合対象者の顔画像として取得させ、前記提示手段により、前記類似度判定手段により前記照合対象者の顔画像が前記該当車両顔画像情報に登録された顔画像であると判定された場合、前記所定の位置で取得された照合対象者が前記該当車両の搭乗者であることが提示されることにより、前記照合対象者である前記遊技者の遊技する遊技台の動作を停止させるように制御する制御手段を更に含ませるようにすることができる。
【００１３】
前記顔画像取得手段には、前記所定の遊技台で遊技する遊技者を照合対象者の顔画像として取得させ、前記提示手段には、遊技店の係員に所持されている携帯端末に対して、前記類似度判定手段により前記照合対象者の顔画像が前記該当車両顔画像情報に登録された顔画像であると判定された場合、前記所定の位置で取得された照合対象者が前記該当車両の搭乗者であることを示す情報を送信することにより、その旨を提示させるようにすることができる。
【００１４】
本発明の一側面の監視方法は、駐車場に入場する車両の車両登録情報と、前記車両に搭乗している人物の顔画像とを対応付けて車両情報データベースとして登録する登録ステップと、前記駐車場に駐車中の車両のうち、該当車両の画像を撮像する該当車両撮像ステップと、前記該当車両撮像ステップの処理により撮像された前記該当車両の画像より前記車両登録情報を抽出する該当車両登録情報抽出ステップと、前記該当車両登録情報抽出ステップの処理により抽出された該当車両の車両登録情報に基づいて、前記登録ステップの処理により登録された車両登録データベースより、前記該当車両の車両登録情報に対応付けて登録されている顔画像を検索する検索ステップと、前記検索ステップの処理により検索された車両登録情報と、前記検索された車両登録情報に対応付けて登録されている顔画像とを該当車両顔画像情報として蓄積する蓄積ステップと、所定の位置で照合対象者の顔画像を取得する顔画像取得ステップと、前記顔画像取得ステップの処理により取得された照合対象者の顔画像と、前記該当車両顔画像情報として登録されている顔画像との類似度を計算し、照合する照合ステップと、前記照合ステップの処理での照合結果である類似度と所定の閾値との比較により、前記来店者の顔画像が、前記該当車両顔画像情報に登録された顔画像であるか否かを判定する類似度判定ステップと、前記類似度判定ステップの処理により前記照合対象者の顔画像が前記該当車両顔画像情報に登録された顔画像であると判定された場合、前記所定の位置で取得された照合対象者が前記該当車両の搭乗者であることを提示する提示ステップとを含む。
【００１５】
本発明の第１の側面のプログラムは、駐車場に入場する車両の車両登録情報と、前記車両に搭乗している人物の顔画像とを対応付けて車両情報データベースとして登録する登録ステップと、前記駐車場に駐車中の車両のうち、該当車両の画像を撮像する該当車両撮像ステップと、前記該当車両撮像ステップの処理により撮像された前記該当車両の画像より前記車両登録情報を抽出する該当車両登録情報抽出ステップと、前記該当車両登録情報抽出ステップの処理により抽出された該当車両の車両登録情報に基づいて、前記登録ステップの処理により登録された車両登録データベースより、前記該当車両の車両登録情報に対応付けて登録されている顔画像を検索する検索ステップと、前記検索ステップの処理により検索された車両登録情報と、前記検索された車両登録情報に対応付けて登録されている顔画像とを該当車両顔画像情報として蓄積する蓄積ステップと、所定の位置で照合対象者の顔画像を取得する顔画像取得ステップと、前記顔画像取得ステップの処理により取得された照合対象者の顔画像と、前記該当車両顔画像情報として登録されている顔画像との類似度を計算し、照合する照合ステップと、前記照合ステップの処理での照合結果である類似度と所定の閾値との比較により、前記来店者の顔画像が、前記該当車両顔画像情報に登録された顔画像であるか否かを判定する類似度判定ステップと、前記類似度判定ステップの処理により前記照合対象者の顔画像が前記該当車両顔画像情報に登録された顔画像であると判定された場合、前記所定の位置で取得された照合対象者が前記該当車両の搭乗者であることを提示する提示ステップとを含む処理をコンピュータに実行させる。
【００１６】
本発明の第２の側面の監視システムは、監視装置、駐車場の係員により所持される携帯端末、および提示装置からなる監視システムであって、前記監視装置は、駐車場に入場する車両の車両登録情報と、前記車両に搭乗している人物の顔画像とを対応付けて車両情報データベースとして登録する登録手段と、前記携帯端末により撮像された前記該当車両の画像より前記車両登録情報を抽出する該当車両登録情報抽出手段と、前記該当車両登録情報抽出手段により抽出された該当車両の車両登録情報に基づいて、前記登録手段により登録された車両登録データベースより、前記該当車両の車両登録情報に対応付けて登録されている顔画像を検索する検索手段と、前記検索手段により検索された車両登録情報と、前記検索された車両登録情報に対応付けて登録されている顔画像とを該当車両顔画像情報として蓄積する蓄積手段と、所定の位置で照合対象者の顔画像を取得する顔画像取得手段と、前記顔画像取得手段により取得された照合対象者の顔画像と、前記該当車両顔画像情報として登録されている顔画像との類似度を計算し、照合する照合手段と、前記照合手段の照合結果である類似度と所定の閾値との比較により、前記来店者の顔画像が、前記該当車両顔画像情報に登録された顔画像であるか否かを判定する類似度判定手段とを含み、前記携帯端末は、前記駐車場に駐車中の車両のうち、該当車両の画像を撮像する該当車両撮像手段を含み、前記提示装置は、前記類似度判定手段により前記照合対象者の顔画像が前記該当車両顔画像情報に登録された顔画像であると判定された場合、前記所定の位置で取得された照合対象者が前記該当車両の搭乗者であることを提示する提示手段とを含む。
【００１７】
本発明の第１の側面の監視装置および方法、並びにプログラムにおいては、駐車場に入場する車両の車両登録情報と、前記車両に搭乗している人物の顔画像とが対応付けて車両情報データベースとして登録され、前記駐車場に駐車中の車両のうち、該当車両の画像が撮像され、撮像された前記該当車両の画像より前記車両登録情報が抽出され、抽出された該当車両の車両登録情報に基づいて、登録された車両登録データベースより、前記該当車両の車両登録情報に対応付けて登録されている顔画像が検索され、検索された車両登録情報と、前記検索された車両登録情報に対応付けて登録されている顔画像とが該当車両顔画像情報として蓄積され、所定の位置で照合対象者の顔画像が取得され、取得された照合対象者の顔画像と、前記該当車両顔画像情報として登録されている顔画像との類似度が計算されて、照合され、照合結果である類似度と所定の閾値との比較により、前記来店者の顔画像が、前記該当車両顔画像情報に登録された顔画像であるか否かが判定され、前記照合対象者の顔画像が前記該当車両顔画像情報に登録された顔画像であると判定された場合、前記所定の位置で取得された照合対象者が前記該当車両の搭乗者であることが提示される。
【００１８】
本発明の第２の側面の監視システムにおいては、監視装置、駐車場の係員により所持される携帯端末、および提示装置からなる監視システムであって、前記監視装置により、駐車場に入場する車両の車両登録情報と、前記車両に搭乗している人物の顔画像とが対応付けて車両情報データベースとして登録され、前記携帯端末により撮像された前記該当車両の画像より前記車両登録情報が抽出され、抽出された該当車両の車両登録情報に基づいて、登録された車両登録データベースより、前記該当車両の車両登録情報に対応付けて登録されている顔画像が検索され、検索された車両登録情報と、前記検索された車両登録情報に対応付けて登録されている顔画像とが該当車両顔画像情報として蓄積され、所定の位置で照合対象者の顔画像が取得され、取得された照合対象者の顔画像と、前記該当車両顔画像情報として登録されている顔画像との類似度が計算されて、照合され、照合結果である類似度と所定の閾値との比較により、前記来店者の顔画像が、前記該当車両顔画像情報に登録された顔画像であるか否かが判定され、前記携帯端末により、前記駐車場に駐車中の車両のうち、該当車両の画像が撮像され、前記提示装置により、前記照合対象者の顔画像が前記該当車両顔画像情報に登録された顔画像であると判定された場合、前記所定の位置で取得された照合対象者が前記該当車両の搭乗者であることが提示される。
【００１９】
本発明の監視装置における、駐車場に入場する車両の車両登録情報と、前記車両に搭乗している人物の顔画像とを対応付けて車両情報データベースとして登録する登録手段は、例えば、車両情報登録部であり、前記駐車場に駐車中の車両のうち、該当車両の画像を撮像する該当車両撮像手段とは、例えば、画像取得部であり、前記該当車両撮像手段により撮像された前記該当車両の画像より前記車両登録情報を抽出する該当車両登録情報抽出手段とは、例えば、車両登録情報画像抽出部であり、前記該当車両登録情報抽出手段により抽出された該当車両の車両登録情報に基づいて、前記登録手段により登録された車両登録データベースより、前記該当車両の車両登録情報に対応付けて登録されている顔画像を検索する検索手段とは、例えば、車両登録情報検索部であり、前記検索手段により検索された車両登録情報と、前記検索された車両登録情報に対応付けて登録されている顔画像とを該当車両顔画像情報として蓄積する蓄積手段とは、例えば、該当車両顔画像情報蓄積部であり、所定の位置で照合対象者の顔画像を取得する顔画像取得手段とは、例えば、顔画像取得部であり、前記顔画像取得手段により取得された照合対象者の顔画像と、前記該当車両顔画像情報として登録されている顔画像との類似度を計算し、照合する照合手段とは、例えば、類似度計算部であり、前記照合手段の照合結果である類似度と所定の閾値との比較により、前記来店者の顔画像が、前記該当車両顔画像情報に登録された顔画像であるか否かを判定する類似度判定手段とは、例えば、類似度判定部であり、前記類似度判定手段により前記照合対象者の顔画像が前記該当車両顔画像情報に登録された顔画像であると判定された場合、前記所定の位置で取得された照合対象者が前記該当車両の搭乗者であることを提示する提示手段とは、例えば、遊技店管理装置である。
【００２０】
すなわち、車両情報登録部は、駐車場に入場する車両の車両登録情報と、前記車両に搭乗している人物の顔画像とを対応付けて車両情報データベースとして登録する。画像取得部は、前記駐車場に駐車中の車両のうち、該当車両の画像を撮像し、車両登録情報画像抽出部は、撮像された前記該当車両の画像より前記車両登録情報を抽出するする。車両登録情報検索部は、抽出された該当車両の車両登録情報に基づいて、登録された車両登録データベースより、前記該当車両の車両登録情報に対応付けて登録されている顔画像を検索し、該当車両顔画像情報蓄積部は、検索された車両登録情報と、前記検索された車両登録情報に対応付けて登録されている顔画像とを該当車両顔画像情報として蓄積する。
【００２１】
そして、顔画像取得部が、所定の位置で照合対象者の顔画像を取得し、類似度計算部は、取得された照合対象者の顔画像と、前記該当車両顔画像情報として登録されている顔画像との類似度を計算し、照合する。類似度判定部は、照合結果である類似度と所定の閾値との比較により、前記来店者の顔画像が、前記該当車両顔画像情報に登録された顔画像であるか否かを判定し、前記照合対象者の顔画像が前記該当車両顔画像情報に登録された顔画像であると判定された場合、遊技店管理装置は、前記所定の位置で取得された照合対象者が前記該当車両の搭乗者であることを提示する。
【００２２】
結果として、駐車場に駐車している車両に異常が発生した場合、係員が該当車両を撮像するだけで、該当車両の搭乗者の顔画像に基づいて遊技者が検索されて、車両に戻るように促すことができるので、異常の発生している車両に速やかに車両の搭乗者を戻すように促すことが可能となる。
【発明の効果】
【００２３】
本発明によれば、駐車場の利用車両にトラブルが発生した場合、該当車両の運転者を店舗内にて検索し、該当車両に速やかに戻る事を促すことが可能となる。
【発明を実施するための最良の形態】
【００２４】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
すなわち、本発明の第１の側面の監視装置は、駐車場に入場する車両の車両登録情報と、前記車両に搭乗している人物の顔画像とを対応付けて車両情報データベースとして登録する登録手段（例えば、図１４の車両情報登録部２２５）と、前記駐車場に駐車中の車両のうち、該当車両の画像を撮像する該当車両撮像手段（例えば、図１６の画像取得部２９４）と、前記該当車両撮像手段により撮像された前記該当車両の画像より前記車両登録情報を抽出する該当車両登録情報抽出手段（例えば、図１５の車両登録情報画像抽出部２７２）と、前記該当車両登録情報抽出手段により抽出された該当車両の車両登録情報に基づいて、前記登録手段により登録された車両登録データベースより、前記該当車両の車両登録情報に対応付けて登録されている顔画像を検索する検索手段（例えば、図１５の車両登録情報検索部２７７）と、前記検索手段により検索された車両登録情報と、前記検索された車両登録情報に対応付けて登録されている顔画像とを該当車両顔画像情報として蓄積する蓄積手段（例えば、図１５の該当車両顔画像情報蓄積部２７９）と、所定の位置で照合対象者の顔画像を取得する顔画像取得手段（例えば、図１４の顔画像取得部２２８）と、前記顔画像取得手段により取得された照合対象者の顔画像と、前記該当車両顔画像情報として登録されている顔画像との類似度を計算し、照合する照合手段（例えば、図１４の類似度計算部２５２）と、前記照合手段の照合結果である類似度と所定の閾値との比較により、前記来店者の顔画像が、前記該当車両顔画像情報に登録された顔画像であるか否かを判定する類似度判定手段（例えば、図１４の類似度判定部２５３）と、前記類似度判定手段により前記照合対象者の顔画像が前記該当車両顔画像情報に登録された顔画像であると判定された場合、前記所定の位置で取得された照合対象者が前記該当車両の搭乗者であることを提示する提示手段（例えば、図１４の遊技店管理装置２４）とを含む。
【００２６】
前記駐車場に入場する車両の画像を撮像する入場車両撮像手段（例えば、図１の駐車場入口カメラ６１）と、前記入場車両撮像手段により撮像された画像より、前記車両の車両登録情報を抽出する入場車両登録情報抽出手段（例えば、図１４の車両登録情報画像抽出部２２１）と、前記入場車両撮像手段により撮像された画像より、前記車両の搭乗者の顔画像を抽出する入場車両顔画像抽出手段（例えば、図１４の顔画像抽出部２２６）とを含み、前記登録手段（例えば、図１４の車両情報登録部２２５）には、前記入場車両登録情報抽出手段により抽出された前記駐車場に入場する車両の車両登録情報と、前記入場車両顔画像抽出手段により抽出された前記車両に搭乗している人物の顔画像とを対応付けて車両情報データベースとして登録させるようにすることができる。
【００２７】
前記照合対象者の画像を撮像する照合対象者撮像手段（例えば、図１のカメラ３８）と、前記照合対象者撮像手段により撮像された画像より、前記照合対象者の顔画像を抽出する顔画像抽出手段（例えば、図１２の顔画像抽出部２０２）と、前記照合対象者の顔画像より特徴量を抽出する特徴量抽出手段（例えば、図１４の特徴量抽出部２５１）とをさらに含み、前記照合手段（例えば、図１４の類似度計算部２５２）には、前記取得手段により取得された照合対象者の顔画像と、前記蓄積手段に蓄積された登録者の顔画像との特徴量を用いて類似度を計算させ、前記取得手段により取得された照合対象者の顔画像と、前記蓄積手段に蓄積された登録者の顔画像とを照合させるようにすることができる。
【００２８】
前記顔画像取得手段（例えば、図１４の顔画像取得部２２８）には、前記所定の遊技台で遊技する遊技者を照合対象者の顔画像として取得させ、前記類似度判定手段により前記照合対象者の顔画像が前記該当車両顔画像情報に登録された顔画像であると判定された場合、前記提示手段（例えば、図１４の遊技店管理装置２４）により、前記所定の位置で取得された照合対象者が前記該当車両の搭乗者であることが提示されることにより、前記照合対象者である前記遊技者の遊技する遊技台の動作を停止させるように制御する制御手段（例えば、図１７の遊技台制御部３０２）を更に含ませるようにすることができる。
【００２９】
前記顔画像取得手段（例えば、図１４の顔画像取得部２２８）には、前記所定の遊技台で遊技する遊技者を照合対象者の顔画像として取得させ、遊技店の係員に所持されている携帯端末（例えば、図１４の携帯端末１９）に対して、前記類似度判定手段により前記照合対象者の顔画像が前記該当車両顔画像情報に登録された顔画像であると判定された場合、前記提示手段（例えば、図１４の通信部２３１）には、前記所定の位置で取得された照合対象者が前記該当車両の搭乗者であることを示す情報を送信することにより、その旨を提示させるようにすることができる。
【００３０】
本発明の一側面の監視方法およびプログラムは、駐車場に入場する車両の車両登録情報と、前記車両に搭乗している人物の顔画像とを対応付けて車両情報データベースとして登録する登録ステップ（例えば、図１８のステップＳ２８）と、前記駐車場に駐車中の車両のうち、該当車両の画像を撮像する該当車両撮像ステップ（例えば、図１９のステップＳ６２）と、前記該当車両撮像ステップの処理により撮像された前記該当車両の画像より前記車両登録情報を抽出する該当車両登録情報抽出ステップ（例えば、図１９のステップＳ９３）と、前記該当車両登録情報抽出ステップの処理により抽出された該当車両の車両登録情報に基づいて、前記登録ステップの処理により登録された車両登録データベースより、前記該当車両の車両登録情報に対応付けて登録されている顔画像を検索する検索ステップ（例えば、図１９のステップＳ１００）と、前記検索ステップの処理により検索された車両登録情報と、前記検索された車両登録情報に対応付けて登録されている顔画像とを該当車両顔画像情報として蓄積する蓄積ステップ（例えば、図１９のステップＳ１０１）と、所定の位置で照合対象者の顔画像を取得する顔画像取得ステップ（例えば、図２０のステップＳ１３２）と、前記顔画像取得ステップの処理により取得された照合対象者の顔画像と、前記該当車両顔画像情報として登録されている顔画像との類似度を計算し、照合する照合ステップ（例えば、図２０のステップＳ１３５）と、前記照合ステップの処理での照合結果である類似度と所定の閾値との比較により、前記来店者の顔画像が、前記該当車両顔画像情報に登録された顔画像であるか否かを判定する類似度判定ステップ（例えば、図２０のステップＳ１３６）と、前記類似度判定ステップの処理により前記照合対象者の顔画像が前記該当車両顔画像情報に登録された顔画像であると判定された場合、前記所定の位置で取得された照合対象者が前記該当車両の搭乗者であることを提示する提示ステップ（例えば、図２０のステップＳ１５４）とを含む。
【００３１】
図１は、本発明に係る遊技店の監視システムの一実施の形態の構成を示す図である。
【００３２】
遊技店１−１乃至１−ｎは、いわゆるパチンコ店、パチスロ店、または、カジノ店である。また、これらの遊技店１−１乃至１−ｎは、系列店舗または生体情報管理センタや第３者遊技店管理センタの加盟店であって、複数の店舗を統括的に管理する必要のある店舗である。各遊技店１−１乃至１−ｎは、生体情報管理バス６および第３者遊技店管理バス７により接続されており、それらのバスおよびインターネット等に代表される公衆通信回線網８，９を介して、相互にそれぞれ生体情報、および第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００３３】
生体情報管理バス６は、主に各遊技店１の画像情報認識装置２１により管理される生体情報を流通させるための伝送路として機能する。また、第３者遊技店管理バス７は、主に各遊技店１の媒体貸出管理装置２７により管理される媒体貸出管理情報を流通させるための伝送路として機能する。
【００３４】
生体情報管理センタ２は、生体情報管理センタを管理運営する事業者により使用されるサーバであり、生体情報管理データベース（以降、DBとも称するものとする）３で管理されている登録遊技者DBを各遊技店１により生成される未登録遊技者DBに基づいて更新すると供に、更新した最新の登録遊技者DBを各遊技店１の画像情報認識装置２１に対して配信する。
【００３５】
第３者遊技店管理センタ４は、第３者遊技店管理センタを管理運営する事業者により使用されるサーバであり、第３者遊技店管理データベース（DB）５で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００３６】
画像情報認識装置２１は、遊技店１に併設されている駐車場５１−１に設けられた駐車場入口カメラ６１−１乃至６１−ｒにより駐車場５１に入場する車両が撮像された画像より駐車場画像処理ユニット６３−１乃至６３−ｒにより抽出されて、生体情報バス３１を介して供給されてくる、その車両の車両登録情報（ナンバプレートの情報）、および、その車両の搭乗者の顔画像を、それぞれ対応付けて車両情報データベース２０に登録する。
【００３７】
また、画像情報認識装置２１は、遊技店１に併設されている駐車場５１の係員により車両の異常や移動を要求したいような状態が認められた場合、駐車場係員携帯端末６４により撮像されて送信されてくる車両の画像を取得すると供に、車両情報データベース２０を検索して、検索された駐車場係員携帯端末６４により撮像されて送信されてくる車両の画像に該当する車両（以下、該当車両とも称する）に対応付けて登録されている顔画像を該当車両顔画像情報として、車両情報管理部２２７（図１４）の該当車両顔画像情報蓄積部２７９（図１５）に蓄積する。
【００３８】
さらに、画像情報認識装置２１は、CCD（Charge Coupled Devices）やCMOS（Complementary Metal Oxide Semiconductor）などの撮像素子により構成されているカメラ３８−１乃至３８−ｍ、入口カメラ４０−１乃至４０−ｐ、店内カメラ４１−１乃至４１−ｑにより撮像された画像より画像処理ユニット３９−１乃至３９−（ｍ＋ｐ＋ｑ）により抽出されて、生体情報バス３１を介して供給されてくる顔画像の情報に基づいて、生体情報データベース２２に予め登録されている顔画像と照合し、一致する場合、登録遊技者の来店を携帯端末１９に通知したり、CRT（Cathode Ray Tube）またはLCD（Liquid Crystal Display）などからなる表示部２３に表示する。
【００３９】
また、画像情報認識装置２１は、カメラ３８−１乃至３８−ｍ、入口カメラ４０−１乃至４０−ｐ、店内カメラ４１−１乃至４１−ｑにより撮像された画像より画像処理ユニット３９−１乃至３９−（ｍ＋ｐ＋ｑ）により抽出されて、生体情報バス３１を介して供給されてくる顔画像の情報に基づいて、該当車両顔画像情報蓄積部２７９（図１５）に登録されている顔画像と照合し、一致する場合、遊技店管理装置２４に対して、顔画像が供給されてきたカメラIDに基づいて、特定される遊技台３６の動作を停止させるように指示したり、または、遊技台３８の表示部３１３（図１７）に遊技者に対して車両に戻るように促す画面を表示させたりする。
【００４０】
さらに、生体情報データベース２２に予め登録されている顔画像と照合し、一致しない場合、画像情報認識装置２１は、生体情報管理データベース３にアクセスし、未登録者として未登録遊技者DBに登録する。
【００４１】
遊技店管理装置２４は、いわゆるホールコンピュータと呼ばれるものであり、遊技店管理情報バス３０を介して遊技台３６−１乃至３６−ｍの動作を監視または制御している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRTやLCDなどからなる表示部２５に表示する。遊技店管理装置２４は、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。
【００４２】
媒体貸出管理装置２７は、精算販売機３３、および貸出機３４からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス７および公衆通信回線網９を介して第３者遊技店管理センタ４に送る。さらに、媒体貸出管理装置２７は、第３者遊技店管理バス７および公衆通信回線網９を介して第３者遊技店管理センタ４により供給されてくる媒体貸出管理情報を取得し、媒体貸出管理データベース２９に蓄積させる。
【００４３】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００４４】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００４５】
計数機３５は、遊技者が遊技台３６により遊技することにより獲得した遊技媒体の数を、計数し、計数結果を磁気カードやレシートなどとして出力する。
【００４６】
遊技台３６−１乃至３６−ｍは、遊技者により所定の操作がなされることにより、遊技を実行し、いわゆる小当たりや大当たりに応じて、遊技球、または、メダルを払い出す。
【００４７】
遊技台周辺端末３７−１乃至３７−ｍは、各遊技台３６−１乃至３６−ｍに対応して設けられている、いわゆる台間機であり、台間球貸機（原理的には、貸出機３４と同様のもの）などが設けられている。また、遊技台周辺端末３７は、遊技台３６を遊技する遊技者の顔画像などの生体情報を取得し、遊技台識別情報（遊技台番号）と共に画像情報認識装置２１に送信する。尚、図１においては、生体情報を取得する機能として、遊技者の顔画像を取得するカメラ３８−１乃至３８−ｍが設けられている例が示されている。
【００４８】
カメラ３８−１乃至３８−ｍは、例えば、図２で示されるように、各遊技台３６−１乃至３６−４のそれぞれの上部に設けられた台表示ランプ１６１−１乃至１６１−４台の下部に図３で示されるように、読取範囲δ内に遊技者が撮像できるように設け、顔画像を撮像するようにしてもよく、このようにすることにより、各カメラIDは、同時に遊技台IDとして使用することが可能となる。
【００４９】
また、カメラ３８−１乃至３８−ｍは、例えば、図４で示されるように、遊技台周辺端末３７−１乃至３７−４に凸部１７１−１乃至１７１−４を設け、図５で示されるように読取範囲θ内に遊技者の顔画像が撮像できるように設けるようにしてもよい。
【００５０】
さらに、カメラ３８−１乃至３８−ｍは、例えば、図６で示されるように、遊技台３６の中央部（遊技台３６の盤面上）に設けるようにして、撮像するようにしてもよい。すなわち、図６の設置部１８１にカメラ３８が設置されることにより、図７で示されるように、読取範囲φ内に遊技者を撮像する。
【００５１】
入口カメラ４０−１乃至４０−ｐおよび店内カメラ４１−１乃至４１−ｑは、遊技店１の店内における出入口および所定の場所に設置され、撮像した画像をそれぞれ画像処理ユニット３９−（ｍ＋１）乃至３９−（ｍ＋ｐ＋ｑ）に供給する。
【００５２】
入口カメラ４０−１乃至４０−ｐおよび店内カメラ４１−１乃至４１−ｑは、例えば、図８で示されるように設定される。図８は、遊技店１内の入口カメラ４０−１乃至４０−ｐおよび店内カメラ４１−１乃至４１−ｑの設置例を示している。
【００５３】
すなわち、図８においては、出入口１９２−１乃至１９２−３が設けられており、入口カメラ４０−１乃至４０−３は、それぞれの出入口１９２より入店してくる遊技者を撮像する。また、店内カメラ４１−１乃至４１−１０は、島設備１９１−１乃至１９１−５のそれぞれ両面をそれぞれ一列に渡って撮像できる位置に設定されている。島設備１９１は、両面に遊技台３６が設置されており、すなわち、図中の島設備１９１を上下方向に挟むように設置されている。カメラ３８、入口カメラ４０および店内カメラ４１は、いずれにおいてもパンチルトズーム機能を備えているため、図８で示されるように、店内カメラ４１−１乃至４１−１０が配置されることにより、遊技台３６で遊技する全遊技者が、店内カメラ４１−１乃至４１−１０のいずれかで撮像できる。
【００５４】
さらに、店内カメラ４１−ａは、貸出機３４の前に設けられており、店内カメラ４１−ｂは、精算販売機３３の前に設けられており、店内カメラ４１−ｃは、計数機３５の前に設けられており、それぞれ、貸出機３４、精算販売機３３、および計数機３５を利用する遊技者を撮像することができる。
【００５５】
すなわち、図８で示されるように、遊技店１においては、来店する遊技者、遊技台３６で遊技する遊技者、並びに、貸出機３４、精算販売機３３、および計数機３５を利用する遊技者といった、遊技店１において遊技者が取るであろうことが想定される行動のほぼ全てを監視できるように、カメラ３８、入口カメラ４０、および店内カメラ４１が設置されている。
【００５６】
また、駐車場入口カメラ６１−１乃至６１−ｒおよび駐車場出口カメラ６２−１乃至６２−ｓは、CCDやCMOSなどの撮像素子により構成されており、遊技店１の駐車場５１におけるゲートに設置され、撮像した画像をそれぞれ駐車場画像処理ユニット６３−１乃至６３−（ｒ＋ｓ）に供給する。駐車場入口カメラ６１−１乃至６１−ｒおよび駐車場出口カメラ６２−１乃至６２−ｓは、例えば、図９，図１０で示されるように設置される。図９は、遊技店１における駐車場５１内の駐車場入口カメラ６１−１乃至６１−ｒおよび駐車場出口カメラ６２−１乃至６２−ｓの設置例を示しており、図１０は、ゲートｇ−１乃至ｇ−３付近における駐車場入口カメラ６１−１乃至６１−ｒおよび駐車場出口カメラ６２−１乃至６２−ｓの拡大配置図である。
【００５７】
すなわち、図９においては、駐車場５１にゲートｇ−１乃至ｇ−３が設けられており、駐車場入口カメラ６１−１乃至６１−３は、それぞれのゲートｇ−１乃至ｇ−３より入場する車両Ｃ２を、例えば、図１１で示されるように前方から画像Ｐとして撮像する。また、駐車場出口カメラ６２−１乃至６２−３は、それぞれのゲートｇ−１乃至ｇ−３より退場する車両Ｃ１を撮像する。
【００５８】
尚、図１１においては、画像Ｐに車両Ｃが前方から撮像されており、車両Ｃに搭乗している人物の顔画像Ｆ１，Ｆ２、および車両登録情報画像Ｎが含まれており、後述する処理により、顔画像Ｆ１，Ｆ２、および車両登録情報画像Ｎが抽出されて、車両登録情報画像Ｎより抽出される車両登録情報に対応付けられて顔画像Ｆ１，Ｆ２が車両情報データベース２０に登録される。
【００５９】
このように駐車場５１においては、全てのゲートｇに駐車場入口カメラ６１および駐車場出口カメラ６２が設けられているので、駐車場５１に入場する車両Ｃ２は、入場したゲートｇに設けられた駐車場入口カメラ６１により前方から必ず撮像されることになり、同様にして、駐車場５１から退場する際に、いずれか退場しようとするゲートｇに設けられた駐車場出口カメラ６２により車両Ｃ１が前方から必ず撮像されることになる。
【００６０】
次に、図１２を参照して、画像処理ユニット３９の構成例について説明する。
【００６１】
画像取得部２０１は、カメラ３８（または、入口カメラ４０もしくは店内カメラ４１）により撮像された画像を取得し、顔画像抽出部２０２に供給する。顔画像抽出部２０２は、画像取得部２０１より供給されてきた画像内に、顔を構成する部位の配置などのパターンにより顔画像からなる矩形画像を抽出して送信部２０３に供給する。送信部２０３は、顔画像を画像情報認識装置２１に送信する。
【００６２】
次に、図１３を参照して、駐車場画像処理ユニット６３の構成例について説明する。
【００６３】
画像取得部２１１は、駐車場入口カメラ６１（または、駐車場出口カメラ６２）により撮像された画像を取得し、顔画像抽出部２１２および車両登録情報画像抽出部２１４に供給する。顔画像抽出部２１２は、画像取得部２１１より供給されてきた画像内に、顔を構成する部位の配置などのパターンにより顔画像からなる矩形画像を抽出して送信部２１３に供給する。車両登録情報画像抽出部２１４は、画像取得部２１１より供給されてきた画像内に、ナンバプレートを構成する部位の配置などのパターンにより車両登録情報画像からなる矩形画像を抽出して送信部２１３に供給する。送信部２１３は、車両登録情報画像と顔画像とを対応付けて画像情報認識装置２１に送信する。
【００６４】
次に、図１４を参照して、画像情報認識装置２１の構成例について説明する。
【００６５】
車両登録情報画像抽出部２２１は、駐車場画像処理ユニット６３より供給されてくる車両登録情報画像および顔画像の情報より、車両登録情報画像を抽出して文字情報照合部２２２に供給する。
【００６６】
文字情報照合部２２２は、車両登録情報画像抽出部２２１より供給されてきた車両登録情報画像を、文字情報辞書DB２２３に登録されている文字認識用の画像と照合して照合結果をテキストデータ変換部２２４に供給する。
【００６７】
テキストデータ変換部２２４は、照合結果に基づいて、車両登録情報画像をテキストデータ（文字データ）として変換し、変換結果である車両登録情報のテキストデータを車両情報登録部２２５に供給する。
【００６８】
顔画像抽出部２２６は、駐車場画像処理ユニット６３より供給されてくる車両登録情報画像および顔画像の情報より、顔画像を抽出して車両情報登録部２２５に供給する。
【００６９】
車両情報登録部２２５は、テキストデータ変換部２２４より供給されてくる車両登録情報のテキストデータと、その車両に搭乗している人物の顔画像とを対応付けて車両情報データベース（DB）２０に登録する。
【００７０】
車両情報管理部２２７は、駐車場係員携帯端末６４より供給されてくる車両の画像に含まれる車両登録情報に基づいて、車両情報DB２０を検索し、その車両登録情報に対応付けて登録されている顔画像を該当車両顔画像情報として、内蔵する該当車両顔画像情報蓄積部２７９（図１５）に蓄積させる。
【００７１】
顔画像取得部２２８は、画像処理ユニット３９より供給される顔画像を取得し、照合部２２９に供給する。照合部２２９は、顔画像取得部２２８により取得された顔画像と、生体情報DB２２に予め登録されている登録遊技者の顔画像、または、車両情報管理部２２７の該当車両顔画像情報蓄積部２７９に登録されている顔画像とを照合し、類似度の高い候補となる顔画像があれば、最上位の顔画像を照合結果として表示部２３に表示させると供に、遊技店管理装置２４に供給する。また、照合部２２９は、類似度の高い候補となる顔画像が存在しない場合、供給されてきた顔画像を未登録遊技者データベース登録部２３０に供給する。
【００７２】
より詳細には、照合部２２９の特徴量抽出部２５１は、顔画像を識別するための特徴量を抽出して、顔画像と共に類似度計算部２５２に供給する。類似度計算部２５２は、生体情報DB２２に登録されている登録遊技者の顔画像、または、車両情報管理部２２７の該当車両顔画像情報蓄積部２７９に登録されている顔画像の特徴量を抽出すると供に、特徴量抽出部２５１より供給されてくる特徴量とを用いて、生体情報DB２２に登録されている全ての登録遊技者の顔画像、または、車両情報管理部２２７の該当車両顔画像情報蓄積部２７９に登録されている顔画像との類似度を求め、顔画像取得部２２８より供給されてきた顔画像、および、類似度が最上位の顔画像を類似度判定部２５３に供給する。より具体的には、類似度計算部２５２は、例えば、目と目の間隔、あごから額までの長さと、あごから鼻までの長さの比率などの各種の顔の特徴量に基づいて、それぞれの差分和、平均比率、または比率和などを類似度として求める。
【００７３】
類似度判定部２５３は、類似度計算部２５２より供給されてくる類似度が最上位となる顔画像との類似度と、所定の閾値とを比較し、比較結果に基づいて、最上位となる登録顔画像が、顔画像取得部２２８より供給されてきた顔画像に対して類似している場合（類似度が高い程類似していることを示す類似度の場合、所定の閾値よりも高いとき、また、類似度が低い程類似していることを示す類似度の場合、所定の閾値よりも低いとき）、最上位となる顔画像と類似度の情報を表示部２３に供給して、表示させると供に、通信部２３１に供給する。また、類似度判定部２５３は、最上位となる顔画像との類似度と、所定の閾値とを比較し、比較結果に基づいて、最上位となる登録顔画像が、顔画像取得部２２８より供給されてきた顔画像に対して類似していない場合、顔画像取得部２２８より供給されてきた顔画像を未登録遊技者データベース登録部２３０に供給する。
【００７４】
未登録遊技者データベース登録部２３０は、照合部２２９より未登録であるとみなされて供給されてきた、顔画像を生体情報管理データベース３に登録する。
【００７５】
操作部２３２は、ボタン、マウス、または、キーボードなどから構成され、上述した類似度が最上位となる、表示部２３に表示された顔画像が撮像された顔画像であるとみなされるとき操作され、操作結果を通信部２３１に供給する。通信部２３１は、モデムなどから構成され、操作部２３２からの操作信号に基づいて、選択された顔画像を携帯端末１９に配信する。
【００７６】
尚、ここでは、類似度は、例えば、比率和で示されるよう登録されている顔画像に近いほど高い値を示すものであるとし、類似度が所定の閾値よりも高い値であるとき、その類似度に対応する登録遊技者の顔画像であるものとして判定する例について説明する。しかしながら、例えば、類似度が撮像された顔画像と、生体情報DB２２に登録されている顔画像、または車両情報管理部２２７の該当車両顔画像情報蓄積部２７９に蓄積されている顔画像とのそれぞれの特徴量における差分和として表現されている場合、類似度判定部２５３は、類似度が閾値よりも小さければ、撮像された顔画像が登録遊技者の顔画像であるとみなすことになり、または、平均比率などの場合、０乃至１の範囲で所定の値以上であって、１に近い値であれば、同一の人物であるとみなすことができる。
【００７７】
データベース管理部２３３は、生体情報管理センタ２より新たな登録遊技者の情報が配信されてくると、生体情報DB２２を更新する。
【００７８】
検索部２３４は、操作部２３２が操作されることにより入力された条件で、生体情報DB２２に登録されている顔画像を検索し、検索結果を表示部２３に表示する。
【００７９】
次に、図１５を参照して、車両情報管理部２２７の構成について説明する。
【００８０】
車両画像受信部２７１は、駐車場係員携帯端末６４より送信されてくる車両の画像を受信し、車両登録情報画像抽出部２７２に供給する。
【００８１】
車両登録情報画像抽出部２７２は、車両画像受信部２７１より供給されてくる駐車場の係員により駐車場係員携帯端末６４を用いて撮像された該当車両の画像より、該当車両のナンバプレートの画像を車両登録情報画像として抽出し、文字情報照合部２７３に供給する。
【００８２】
文字情報照合部２７３は、車両登録情報画像抽出部２７２より供給されてきた車両登録情報画像を、文字情報辞書DB２７４に登録されている文字認識用の画像と照合して照合結果をテキストデータ変換部２７５に供給する。
【００８３】
テキストデータ変換部２７５は、照合結果に基づいて、車両登録情報画像をテキストデータ（文字データ）として変換し、変換結果である車両登録情報のテキストデータを車両登録情報生成部２７６に供給する。
【００８４】
車両登録情報生成部２７６は、供給されてきたテキストデータの情報を用いて、該当車両の車両登録情報を生成し、車両登録情報検索部２７７に供給する。
【００８５】
車両登録情報検索部２７７は、車両登録情報生成部２７６より供給されてくる車両登録情報に基づいて、車両情報DB２０に登録されている車両登録情報を検索し、検索された場合、検索された車両登録情報に対応付けて車両情報DB２０に登録されている顔画像を抽出し、該当車両顔画像情報生成部２７８に供給する。
【００８６】
該当車両顔画像情報生成部２７８は、車両登録情報検索部２７７より供給されてくる検索された車両登録情報に対応付けて車両情報DB２０に登録されている顔画像を該当車両顔画像情報蓄積部２７９に、車両登録情報に対応付けて蓄積させる。すなわち、該当車両顔画像情報蓄積部２７９には、駐車場係員携帯端末６４により撮像された車両が駐車場５１に入場する際に撮像された搭乗者の顔画像が蓄積されることになる。
【００８７】
次に、図１６を参照して、駐車場係員携帯端末６４の構成について説明する。
【００８８】
受信部２９１は、モデムなどで構成されており、遊技店１内の無線通信網を介して画像情報認識装置２１との間でデータを授受する。また、受信部２９１は、画像情報認識装置２１より配信されてくる、駐車場画像処理ユニット６３より供給された顔画像と類似する顔画像が存在するか否かについての情報を受信し、画像処理部２９２に供給する。
【００８９】
画像処理部２９２は、受信部２９１より供給されてくる駐車場画像処理ユニット６３より供給された顔画像と類似する顔画像が存在するか否かについての情報を、LCDなどにより構成される表示部２９３に表示する画像を生成すると供に、表示部２９３に表示させる。
【００９０】
操作部２９７は、ボタンやキーボードにより構成されており、駐車場係員が、駐車場５１内に駐車されている車両のうち、その所有者である遊技者を呼び出す必要がある車両を撮像するとき、または、その車両の位置情報を取得させようとするとき操作されるものであり、操作内容に応じた信号を画像取得部２９４または位置情報取得部２９５に供給する。
【００９１】
画像取得部２９４は、CCDやCMOSなどの撮像素子により構成されており、操作部２９７より供給されてくる操作信号に基づいて、画像を撮像し、撮像結果である画像データを送信部２９６に供給する。
【００９２】
位置情報取得部２９５は、GPS（Global Positioning System）などで構成されており、操作部２９７より供給されてくる操作信号に基づいて、図示せぬ衛星からの信号を取得し、所定の演算を実行することにより地球上の位置情報を取得し、取得した位置情報を送信部２９６に供給する。
【００９３】
送信部２９６は、画像取得部２９４または位置情報取得部２９５より供給されてくる画像、または、その画像および位置情報取得部２９５より供給されてくる位置情報を画像情報認識装置２１に送信する。
【００９４】
次に、図１７を参照して、遊技店管理装置２４および遊技台３６の構成について説明する。
【００９５】
該当車両顔画像取得部３０１は、画像情報認識装置２１より供給されてくる駐車場係員携帯端末６４により撮像された該当車両の搭乗者である人物の（遊技者の）顔画像が、検出されたときに供給されてくる顔画像を取得するとと共に、取得した顔画像に付加されている顔画像を撮像したカメラIDを抽出して、遊技台制御部３０２に供給する。
【００９６】
遊技台制御部３０２は、該当車両顔画像取得部３０１より供給されてくるカメラIDを取得すると、カメラIDに基づいて、対応する遊技台３６の位置を特定し、特定した遊技台３６の動作を停止させるように、該当する遊技台３６を制御する制御信号を供給すると共に、駐車場係員により現在の遊技者に対して車両に戻ることを促す画面を表示させるように指示する。
【００９７】
遊技台３６の動作制御部３１１は、遊技店管理装置２４からの制御信号に基づいて、動作の停止を指示する制御信号が供給されてきた場合、遊技台３６の遊技に関する動作を停止させる。
【００９８】
表示制御部３１２は、遊技店管理装置２４より駐車場係員により現在の遊技者に対して車両に戻ることを促す画面を表示するように指示された場合、駐車場係員により現在の遊技者に対して車両に戻ることを促す画面を表示部３１３に表示する。
【００９９】
次に、図１８のフローチャートを参照して、車両情報取得処理について説明する。
【０１００】
ステップＳ１において、駐車場入口カメラ６１は、駐車場５１のゲートｇの入口方向を撮像し、撮像した画像を駐車場画像処理ユニット６３に供給する。駐車場画像処理ユニット６３の画像取得部２１１は、駐車場入口カメラ６１より供給されてきた画像を取得し、顔画像抽出部２１２および車両登録情報画像抽出部２１４に供給する。
【０１０１】
ステップＳ２において、車両登録情報画像抽出部２１４は、供給されてきた画像より車両登録情報、すなわち、いわゆるナンバプレートの画像に特有の特徴量を検出し、画像よりナンバプレートが撮像されている矩形状の位置を特定して、車両登録情報画像として抽出し、送信部２１３に供給する。
【０１０２】
ステップＳ３において、車両登録情報画像抽出部２１４は、車両登録情報の特徴量を抽出して、車両登録情報画像が抽出できたか否かを判定する。ステップＳ３において、例えば、ゲートｇに車両が進入していないため、撮像された画像に車両の画像が含まれていないような場合、車両登録情報の特徴量は抽出されないことになるので、処理は、ステップＳ１に戻る。すなわち、車両登録情報が含まれておらず、ゲートｇに車両が進入していないとみなされ、処理は、ステップＳ１に戻り、車両が撮像されるまで、ステップＳ１乃至Ｓ３の処理が繰り返されることになる。
【０１０３】
ステップＳ３において、車両登録情報画像が抽出された、すなわち、ゲートｇに車両が進入する際に撮像された画像であって、車両登録情報画像が抽出されたと判定された場合、ステップＳ４において、顔画像抽出部２１２は、供給された画像より車両の搭乗者の顔画像を抽出し、送信部２１３に供給する。より具体的には、顔画像抽出部２１２は、例えば、撮像された画像の色などから肌が露出した部分であって、目や鼻といった特徴的な部位の配置などから顔画像を抽出して、送信部２１３に供給する。
【０１０４】
ステップＳ５において、送信部２１３は、顔画像抽出部２０２より供給されてきた顔画像と、車両登録情報画像抽出部２１４より供給されてきた車両登録情報画像とを対応付けると共に、駐車場入口カメラ６１を識別するカメラIDや撮像時刻等の情報を付加する。
【０１０５】
ステップＳ６において、送信部２１３は、顔画像抽出部２１２より供給されてきた顔画像、車両登録情報画像抽出部２１４より供給されてきた車両登録情報画像、および車両登録情報画像を含む画像を撮像した駐車場入口カメラ６１のカメラIDを画像情報認識装置２１に送信する。
【０１０６】
ステップＳ２１において、画像情報認識装置２１の車両登録情報画像抽出部２２１は、顔画像および車両登録情報画像が駐車場画像処理ユニット６３より送信されてきたか否かを判定し、送信されてきたと判定されるまで、同様の処理を繰り返す。
【０１０７】
ステップＳ２１において、例えば、ステップＳ６の処理により、顔画像および車両登録情報画像が駐車場画像処理ユニット６３より送信されてきた場合、ステップＳ２２において、車両登録情報画像抽出部２２１は、送信されてきた顔画像および車両登録情報画像を受信する。このとき、顔画像抽出部２２６も送信されてきた顔画像および車両登録情報画像を受信する。
【０１０８】
ステップＳ２３において、車両登録情報画像抽出部２２１は、車両登録情報画像の情報のみを抽出し、抽出された車両登録画像情報のうちの１つの車両登録情報画像を処理対象として選択し、文字情報照合部２２２に供給する。
【０１０９】
ステップＳ２４において、文字情報照合部２２２は、供給されてきた車両登録情報画像を２値化し、ステップＳ２５において、文字情報辞書DB２２３と照合し、照合結果をテキストデータ変換部２２４に供給する。
【０１１０】
ステップＳ２６において、テキストデータ変換部２２４は、照合結果に基づいて、車両登録情報画像をテキストデータに変換し、車両情報登録部２２５に供給する。
【０１１１】
ステップＳ２７において、顔画像抽出部２２６は、処理対処となっている車両登録情報画像に対応付けて送信されてきた顔画像を抽出して車両情報登録部２２５に供給する。
【０１１２】
ステップＳ２８において、車両情報登録部２２５は、テキストデータ変換部２２４より供給されてくる車両登録情報のテキストデータと、顔画像抽出部２２６より供給されてきた顔画像とを対応付けて車両情報DB２０に登録する。
【０１１３】
ステップＳ２９において、車両登録情報画像抽出部２２１は、全ての車両登録情報画像および顔画像について処理を行ったか否かを判定し、全ての車両登録情報画像および顔画像について処理を行っていない場合、処理は、ステップＳ２３に戻り、全ての車両登録情報画像および顔画像について処理が行われたと判定されるまで、ステップＳ２３乃至Ｓ２９の処理が繰り返される。
【０１１４】
そして、ステップＳ２９において、全ての車両登録情報画像および顔画像について処理がなされたと判定された場合、処理は、ステップＳ２１に戻り、それ以降の処理が繰り返される。
【０１１５】
以上の処理により、車両情報DB２０には、駐車場５１に入場した車両の車両登録情報と、その車両に搭乗している搭乗者の顔画像とが対応付けて登録されることになる。すなわち、例えば、図１１の画像が駐車場入口カメラ６１により撮像された場合、車両登録情報画像Ｎに含まれている「名古屋３００ １２３４」が車両登録情報として抽出され、さらに、搭乗者の顔画像として顔画像Ｆ１，Ｆ２が抽出されることになり、車両情報DB２０には、「名古屋３００ １２３４」に対応付けて顔画像Ｆ１，Ｆ２が登録される。
【０１１６】
次に、図１９のフローチャートを参照して、該当車両顔画像情報生成処理について説明する。
【０１１７】
ステップＳ６１において、画像取得部２９４は、操作部２９７からの操作信号に基づいて、撮像が指示されたか否かを判定し、撮像が指示されたと判定されるまで、同様の処理を繰り返す。
【０１１８】
ステップＳ６１において、例えば、駐車場係員が、駐車場５１内で駐車位置で駐車していない車両、車両内に幼児が搭乗したままの状態で駐車している車両、または、車上あらしなどの犯罪に巻き込まれているとみなされる車両などを見つけて、該当車両の搭乗者に車両に戻るように指示したいような場合、操作部２９７が操作されて、該当車両の撮像が指示された場合、撮像が指示されたとみなされ、処理は、ステップＳ６３に進む。
【０１１９】
ステップＳ６３において、画像取得部２９４は、画像処理部２９２を制御して、撮像した画像についての書誌情報を選択する画面を表示部２９３に表示させる。書誌情報は、今現在の異常状態を説明する文章などであり、例えば、「車上あらし」、「移動を求む」、または、「幼児が車内にいます」などであり、さらに、「その他」の項目を設けて、テキスト入力できるようにしても良い。
【０１２０】
ステップＳ６４において、画像取得部２９４は、操作部２９７が操作されて、書誌情報が選択されたか否かを判定し、選択されるまで、その処理を繰り返す。ステップＳ６４において、例えば、いずれかの書誌情報が選択されると、ステップＳ６５において、画像取得部２９４は、撮像した画像と共に添付し、送信部２９６に供給する。
【０１２１】
ステップＳ６６において、画像取得部２９４は、画像処理部２９２を制御して、位置情報を添付するか否かを問い合わせる画面を表示部２９３に表示させる。
【０１２２】
ステップＳ６７において、位置情報取得部２９５は、操作部２９７を制御して、位置情報を添付することが選択されたか否かを判定する。ステップＳ６７において、例えば、位置情報を添付することが選択された場合、ステップＳ６８において、位置情報取得部２９５は、自らの位置情報を取得し、送信部２９６に供給する。
【０１２３】
一方、ステップＳ６７において、位置情報を添付しないと判定された場合、ステップＳ６８の処理は、スキップされる。
【０１２４】
ステップＳ６９において、送信部２９６は、送信ファイルを生成する。すなわち、位置情報を添付する場合、撮像された画像、書誌情報、および位置情報に基づいて送信ファイルを生成し、位置情報を添付しない場合、撮像された画像および書誌情報に基づいて、送信ファイルを作成する。
【０１２５】
ステップＳ７０において、送信部２９６は、生成した送信ファイルを画像情報認識装置２１に送信する。
【０１２６】
ステップＳ９１において、車両情報管理部２２７の車両画像受信部２７１は、駐車場係員携帯端末６４より送信ファイルが送信されてきたか否かを判定し、送信されてくるまで、その処理を繰り返す。
【０１２７】
ステップＳ９１において、例えば、ステップＳ７０の処理により、送信ファイルが送信されてきた場合、ステップＳ９２において、車両画像受信部２７１は、送信されてきた送信ファイルを受信し、受信した送信ファイルのうちの１つの送信ファイルを処理対象として選択し、車両登録情報画像抽出部２７２および該当車両顔画像情報蓄積部２７９に供給する。
【０１２８】
ステップＳ９３において、車両登録情報画像抽出部２７２は、供給されてきた送信ファイルより車両登録情報画像のみを抽出して文字情報照合部２７３に供給する。
【０１２９】
ステップＳ９４において、文字情報照合部２７３は、供給されてきた車両登録情報画像を２値化し、ステップＳ９５において、文字情報辞書DB２７４と照合し、照合結果をテキストデータ変換部２７５に供給する。
【０１３０】
ステップＳ９６において、テキストデータ変換部２７５は、照合結果に基づいて、車両登録情報画像をテキストデータに変換し、車両登録情報生成部２７６に供給する。
【０１３１】
ステップＳ９７において、車両登録情報生成部２７６は、処理対処となっている送信ファイルに含まれていた車両登録画像に基づいて、駐車場係員携帯端末６４により撮像された車両に該当する車両の車両登録情報を生成し、車両登録情報検索部２７７に供給する。
【０１３２】
ステップＳ９８において、車両登録情報検索部２７７は、車両情報DB２０にアクセスし、車両登録情報生成部２７６により生成された駐車場係員携帯端末６４により撮像された車両に該当する車両の車両登録情報を検索する。
【０１３３】
ステップＳ９９において、車両登録情報検索部２７７は、車両情報DB２０で、駐車場係員携帯端末６４により撮像された車両に該当する車両の車両登録情報が検索されたか否かを判定する。ステップＳ９９において、例えば、駐車場係員携帯端末６４により撮像された車両に該当する車両の車両登録情報が検索された場合、ステップＳ１００において、車両登録情報検索部２７７は、車両情報DB２０に駐車場係員携帯端末６４により撮像された車両に該当する車両の車両登録情報に対応付けて登録されている顔画像を読み出して、該当車両顔画像情報生成部２７８に供給する。該当車両顔画像情報生成部２７８は、車両情報DB２０に駐車場係員携帯端末６４により撮像された車両に該当する車両の車両登録情報に対応付けて登録されている顔画像より該当車両顔画像情報を生成する。
【０１３４】
すなわち、車両登録情報検索部２７７は、駐車場係員携帯端末６４により撮像された車両に該当する車両の車両登録情報に対応付けて登録されている顔画像を検索するために、ステップＳ９８の処理により一旦、駐車場係員携帯端末６４により撮像された車両の車両登録情報に基づいて、車両登録情報を検索し、さらに、ステップＳ１００の処理により、ステップＳ９８の処理で検索された車両登録情報に対応付けて登録されている顔画像を読み出している。
【０１３５】
ステップＳ１０１において、該当車両顔画像情報生成部２７８は、生成した該当車両顔画像情報を該当車両顔画像情報蓄積部２７９に蓄積させる。この際、該当車両顔画像情報蓄積部２７９は、車両画像受信部２７１より供給されてくる送信ファイルに含まれる書誌情報や撮像された画像なども、駐車場係員携帯端末６４により撮像された車両に該当する車両の車両登録情報に対応付けて登録されている顔画像と対応付けて蓄積する。
【０１３６】
ステップＳ１０２において、車両登録情報検索部２７７は、駐車場係員携帯端末６４により撮像された車両に該当する車両の車両登録情報に対応付けて登録されている顔画像の該当車両顔画像情報が生成されたことを、駐車場係員携帯端末６４に通知する。
【０１３７】
一方、ステップＳ９９において、例えば、駐車場係員携帯端末６４により撮像された車両に該当する車両の車両登録情報が検索されない場合、ステップＳ１０３において、車両登録情報検索部２７７は、駐車場係員携帯端末６４により撮像された車両に該当する車両の車両登録情報が検索されないことを、駐車場係員携帯端末６４に通知する。
【０１３８】
ステップＳ１０４において、車両画像受信部２７１は、全ての送信ファイルについて処理を行ったか否かを判定し、全ての送信ファイルについて処理を行っていない場合、処理は、ステップＳ９２に戻り、全ての送信ファイルについて処理が行われたと判定されるまで、ステップＳ９２乃至Ｓ１０２の処理が繰り返される。
【０１３９】
そして、ステップＳ１０４において、全ての送信ファイルについて処理がなされたと判定された場合、処理は、ステップＳ９１に戻り、それ以降の処理が繰り返される。
【０１４０】
ステップＳ７１において、受信部２９１は、ステップＳ１０２またはＳ１０３の処理により送信されてきた通知を受信し、画像処理部２９２に供給する。画像処理部２９２は、通知内容に対応する画像を表示部２９３に表示させる。すなわち、ステップＳ１０２の処理により送信されてくる通知であれば、該当車両顔画像情報が生成されたことを示す画面が表示部２９３に表示され、ステップＳ１０３の処理により送信されてくる通知であれば、該当車両の車両登録情報が検索できなかったことを示す画面が表示部２９３に表示される。
【０１４１】
以上の処理により、駐車場係員が駐車場係員携帯端末６４を用いて撮像した車両の車両登録情報に対応付けて登録されている、駐車場５１に入場する際に撮像された画像に含まれている搭乗者の顔画像が、該当車両顔画像情報蓄積部２７９に蓄積されることになる。
【０１４２】
次に、図２０のフローチャートを参照して、該当車両顔画像検知処理について説明する。
【０１４３】
ステップＳ１１１において、カメラ３８は、遊技台３６にて遊技者が着座する位置の画像を撮像し、撮像した画像を画像処理ユニット３９に供給する。画像処理ユニット３９の画像取得部２０１は、供給された画像を取得し、顔画像抽出部２０２に供給する。
【０１４４】
ステップＳ１１２において、顔画像抽出部２０２は、供給された画像より遊技者の顔画像の抽出を試みて、顔画像が抽出されたか否かを判定する。より具体的には、顔画像抽出部２０２は、例えば、撮像された画像の色などから肌が露出した部分であって、目や鼻といった特徴的な部位の配置などから顔画像の抽出を試みて、顔画像が抽出できるか否かが判定される。
【０１４５】
ステップＳ１１２において、顔画像が抽出できない場合、処理は、ステップＳ１１１に戻る。すなわち、顔画像が抽出されるまで、ステップＳ１１１，Ｓ１１２の処理が繰り返される。
【０１４６】
ステップＳ１１２において、顔画像が抽出されると判定された場合、ステップＳ１１３において、顔画像抽出部２０２は、抽出した顔画像を送信部２０３に供給する。
【０１４７】
ステップＳ１１３において、送信部２０３は、顔画像抽出部２０２より供給されてきた顔画像を画像情報認識装置２１に送信する。この際、送信部２０３は、カメラ３８（または、入口カメラ４０、店内カメラ４１）のそれぞれを識別するカメラIDや、送信時刻の情報などの情報を顔画像に付加して画像情報認識装置２１に送信する。
【０１４８】
ステップＳ１３１において、画像情報認識装置２１の顔画像取得部２２８は、顔画像が送信されてきたか否かを判定し、送信されてくるまで、その処理を繰り返す。
【０１４９】
ステップＳ１３１において、例えば、ステップＳ１１４の処理により、顔画像が送信されてきた場合、ステップＳ１３２において、画像情報認識装置２１の顔画像取得部２２８は、顔画像を取得する。ステップＳ１３３において、顔画像取得部２２８は、供給された顔画像のうち、いずれか未処理の１つを抽出し、特徴量抽出部２５１に供給する。
【０１５０】
ステップＳ１３４において、照合部２２９の特徴量抽出部２５１は、供給されてきた顔画像より特徴量を抽出して、顔画像と供に類似度計算部２５２に供給する。
【０１５１】
ステップＳ１３５において、類似度計算部２５２は、特徴量抽出部２５１より供給された顔画像についての、目と目の間隔、あごから額までの長さと、あごから鼻のまでの長さの比率などの各種の顔の特徴量と、車両情報管理部２２７の該当車両顔画像情報蓄積部２７９に蓄積されている顔画像における同様の特徴量とを用いて、それぞれの差分和、平均比率、または比率和などを類似度として計算し、計算結果である該当車両顔画像情報蓄積部２７９に蓄積されている顔画像との類似度の順位を求め、該当車両顔画像情報蓄積部２７９に蓄積されている顔画像のうちの最上位の顔画像と類似度の情報を、特徴量抽出部２５１より供給されてきた顔画像と供に類似度判定部２５３に供給する。
【０１５２】
ステップＳ１３６において、類似度判定部２５３は、類似度計算部２５２より供給されてくる最上位の顔画像と類似度の情報に基づいて、最上位の類似度が所定の閾値よりも大きいか否かを判定する。すなわち、類似度判定部２５３は、最も類似している登録遊技者（該当車両顔画像情報蓄積部２７９に蓄積されている顔画像に登録されている顔画像のうち、顔画像取得部２２８により取得された顔画像と最も類似している登録遊技者：ここでは、類似度の最も高い登録遊技者）の類似度を所定の閾値と比較する。
【０１５３】
尚、上述のように、類似度の定義により、撮像された顔画像と最も類似している登録遊技者の顔画像との類似度は、その値そのものが最も高いとは限らないため、類似度と閾値との大小関係はこの例の場合とは異なることがある。
【０１５４】
ステップＳ１３６において、最上位の類似度が所定の閾値よりも大きいと判定された場合、ステップＳ１３７において、類似度判定部２５３は、該当車両顔画像情報蓄積部２７９に該当車両顔画像情報として蓄積されている顔画像が、類似度計算部２５２より供給されてきた最上位の顔画像として検知されていることを顔画像と供に遊技店管理装置２４に通知する。この際、顔画像を撮像したカメラ３８を識別するカメラIDも併せて、遊技店管理装置２４に通知される。
【０１５５】
ステップＳ１３８において、顔画像取得部２２８は、未処理の顔画像が存在するか否かを判定し、未処理の顔画像が存在する場合、処理は、ステップＳ１３３に戻る。一方、ステップＳ１３８において、未処理の顔画像が存在しない場合、処理は、ステップＳ１３１に戻り、それ以降の処理が繰り返される。
【０１５６】
また、ステップＳ１３６において、類似度が所定の閾値よりも小さい場合、ステップＳ１３７の処理がスキップされる。
【０１５７】
ステップＳ１５１において、遊技店管理装置２４の該当車両顔画像取得部３０１は、該当車両顔画像情報として登録されている顔画像が検知されたことを示す通知が送信されてきたか否かを判定し、送信されてきたと判定されるまで、その処理を繰り返す。
【０１５８】
ステップＳ１５１において、例えば、ステップＳ１３７の処理により、該当車両顔画像情報として登録されている顔画像が検知されたことを示す通知が送信されてきた場合、ステップＳ１５２において、該当車両顔画像取得部３０１は、該当車両顔画像情報として登録されている顔画像が検知されたことを示す通知と供に、その顔画像を撮像したカメラIDを受信する。
【０１５９】
ステップＳ１５３において、該当車両顔画像取得部３０１は、送信されてきた通知に含まれている顔画像を撮像したカメラ３８を識別するカメラIDを抽出し、遊技台制御部３０２に供給する。
【０１６０】
ステップＳ１５４において、遊技台制御部３０２は、カメラIDに対応する遊技台３６に対して遊技を停止させるように制御すると共に、車両に戻るように促す画面を表示させるように指示する。
【０１６１】
ステップＳ１７１において、遊技台３６の動作制御部３１１は、遊技店管理装置２４より動作停止および該当車両に戻るように促す画面を表示させる指示があったか否かを判定し、遊技店管理装置２４より動作停止および該当車両に戻るように促す画面を表示させる指示があったと判定されるまで、その処理を繰り返す。ステップＳ１７１において、例えば、ステップＳ１５４の処理により、遊技店管理装置２４より動作停止および該当車両に戻るように促す画面を表示させる指示があった場合、処理は、ステップＳ１７２に進む。
【０１６２】
ステップＳ１７２において、動作制御部３１１は、遊技台３６の動作を停止させる。
【０１６３】
ステップＳ１７３において、表示制御部３１２は、遊技台３６の表示部３１３に自らの車両に対して戻るように促す画面を表示させる。
【０１６４】
尚、以上の処理においては、遊技台３６の動作を停止させ、車両に戻ることを促す画面を表示させることで、車両の異常を車両の持ち主である搭乗者に伝える例について説明してきたが、例えば、ステップＳ１５４の処理において、係員の所持する携帯端末１９に対して、遊技台３６に供給した指示と同様の指示の情報を送信することにより、いずれの遊技台３６で遊技している遊技者が車両に戻るように促されているのかを示す情報を係員に認識させることにより、係員から該当車両の搭乗者である遊技者に対して該当車両に戻るように促すようにするサービスを提供させるようにしてもよい。
【０１６５】
以上の処理により、駐車場係員により異常が発生したことを示す車両の画像を撮像することにより、駐車場５１に入場する際、その車両に搭乗していた人物の顔画像に基づいて、遊技者を検索すると共に、遊技台３６の遊技を停止させて、車両に戻るように促す画面が表示されるので、駐車場５１における車両の異常を、迅速、かつ的確に、その該当車両の持ち主に伝えることが可能となる。結果として、駐車場の利用車両にトラブルが発生した場合、該当車両の運転者を店舗内にて検索し、該当車両に速やかに戻る事を促すことが可能となるので、駐車場でのトラブルを抑制することが可能となる。
【０１６６】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１６７】
図２１は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１６８】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１６９】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１７０】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１７１】
また、本明細書において、システムとは、複数の装置により構成される装置全体を表すものである。
【図面の簡単な説明】
【０１７２】
【図１】本発明を適用した監視システムの一実施の形態の構成を示す図である。
【図２】図１のカメラの設置例を示す図である。
【図３】図１のカメラの設置例を示す図である。
【図４】図１のカメラの設置例を示す図である。
【図５】図１のカメラの設置例を示す図である。
【図６】図１のカメラの設置例を示す図である。
【図７】図１のカメラの設置例を示す図である。
【図８】図１の入口カメラおよび店内カメラの設置例を示す図である。
【図９】図１の駐車場の構成例を説明する図である。
【図１０】図９の駐車場入口カメラおよび駐車場出口カメラの構成例を説明する図である。
【図１１】図９の駐車場入口カメラおよび駐車場出口カメラにより撮像される画像の例を説明する図である。
【図１２】図１の画像処理ユニットの構成例を説明する図である。
【図１３】図１の駐車場画像処理ユニットの構成例を説明する図である。
【図１４】図１の画像情報認識装置の構成例を説明する図である。
【図１５】図１４の車両情報管理部の構成例を説明する図である。
【図１６】図１の駐車場係員携帯端末の構成例を説明する図である。
【図１７】図１の遊技店管理装置および遊技台の構成例を説明する図である。
【図１８】車両情報取得処理を説明するフローチャートである。
【図１９】該当車両顔画像情報生成処理を説明するフローチャートである。
【図２０】該当車両顔画像検知処理を説明するフローチャートである。
【図２１】パーソナルコンピュータの構成例を説明する図である。
【符号の説明】
【０１７３】
１，１−１乃至１−ｎ  遊技店
２  生体情報管理センタ
３  生体情報管理データベース
４  第３者遊技店管理センタ
５  第３者遊技店管理データベース
６  生体情報管理バス
７  第３者遊技店管理バス
８，９  公衆通信回線網
２０  車両情報データベース
２１  画像情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−（ｍ＋ｐ＋ｑ）  画像処理ユニット
４０，４０−１乃至４０−ｐ  入口カメラ
４１，４１−１乃至４１−ｑ  店内カメラ
５１，５１−１乃至５１−ｎ  駐車場
６１，６１−１乃至６１−ｒ  駐車場入口カメラ
６２，６２−１乃至６２−ｓ  駐車場出口カメラ
６３，６３−１乃至６３−（ｒ＋ｓ）  駐車場画像処理ユニット
６４  駐車場係員携帯端末
【図１】
2008085584.tif 000003
【図２】
2008085584.tif 000004
【図３】
2008085584.tif 000005
【図４】
2008085584.tif 000006
【図５】
2008085584.tif 000007
【図６】
2008085584.tif 000008
【図７】
2008085584.tif 000009
【図８】
2008085584.tif 000010
【図９】
2008085584.tif 000011
【図１０】
2008085584.tif 000012
【図１１】
2008085584.tif 000013
【図１２】
2008085584.tif 000014
【図１３】
2008085584.tif 000015
【図１４】
2008085584.tif 000016
【図１５】
2008085584.tif 000017
【図１６】
2008085584.tif 000018
【図１７】
2008085584.tif 000019
【図１８】
2008085584.tif 000020
【図１９】
2008085584.tif 000021
【図２０】
2008085584.tif 000022
【図２１】
2008085584.tif 000023